(57)【要約】【課題】医学的プレゼンテーションの作成【解決手段】一実施例のコンピュータ具現化方法では、医学的検査データにアクセスし、該医学的検査データをユーザーによるレビューのために提示し、ユーザーによって特定された判定基準に従って前記医学的検査データの少なくとも一部分にマークを付けることを含む。本方法は、判定基準に従ってプレゼンテーションに含めるべき前記医学的検査データの前記マークを付けた部分を収集し、ユーザーが検査データのレビューを続けているときにユーザーのために自動的にプレゼンテーションを準備することを含み、該プレゼンテーションは前記医学的検査データの前記マークを付けた部分を含んでおり、前記医学的検査データの前記マークを付けた部分は匿名化されており、前記プレゼンテーションはユーザーが検査データのレビューを続けているときに動的に更新される。【選択図】図１
2013041588.tif 000002
【特許請求の範囲】
【請求項１】
医学的プレゼンテーションを作成するためのコンピュータ具現化方法であって、
医学的検査データにアクセスする段階と、
ユーザーによるレビューのために前記医学的検査データの少なくとも一部分を提示する段階と、
ユーザーによって特定された判定基準に従って前記医学的検査データの少なくとも一部分にマークを付ける段階と、
前記判定基準に従ってプレゼンテーションに含めるべき前記医学的検査データの前記マークを付けた部分を収集する段階と、
ユーザーが検査データのレビューを続けているときにユーザーのために自動的にプレゼンテーションを準備する段階であって、該プレゼンテーションが前記医学的検査データの前記マークを付けた部分を含んでいる段階と、を有しており、
前記医学的検査データの前記マークを付けた部分が匿名化され、またユーザーが検査データのレビューを続けているときに前記プレゼンテーションが動的に更新されること、
を特徴とするコンピュータ具現化方法。
【請求項２】
前記医学的検査データが、ユーザーに関連したワークリストから自動的に選択される、請求項１記載のコンピュータ具現化方法。
【請求項３】
前記医学的検査データは、検査ワークリスト、患者病歴パレット、レポート又は医学的画像の内の少なくとも１つを含んでいる、請求項１記載のコンピュータ具現化方法。
【請求項４】
前記判定基準は識別子又は特性の内の少なくとも１つである、請求項１記載のコンピュータ具現化方法。
【請求項５】
前記判定基準が自動的に選択される、請求項１記載のコンピュータ具現化方法。
【請求項６】
更に、前記医学的検査データに注釈を付けて、医学的プレゼンテーションにそれを含むことを指示する段階を含んでいる請求項１記載のコンピュータ具現化方法。
【請求項７】
前記医学的検査データの前記匿名化されたマークを付けた部分は、患者の識別表示のない医療データを含んでいる、請求項１記載のコンピュータ具現化方法。
【請求項８】
更に、インターフェースで前記プレゼンテーションを表示させる段階を含んでいる請求項１記載のコンピュータ具現化方法。
【請求項９】
更に、観察及び編集のために一人以上の別のユーザーと前記プレゼンテーションを共用させる段階を含んでいる請求項１記載のコンピュータ具現化方法。
【請求項１０】
実行されたとき、演算装置に、少なくとも、下記に列挙する段階を遂行させる命令を有している有形のコンピュータ読取り可能な媒体。
医学的検査データにアクセスする段階、
ユーザーによるレビューのために前記医学的検査データの少なくとも一部分を提示する段階、
ユーザーによって特定された判定基準に従って前記医学的検査データの少なくとも一部分にマークを付ける段階、
前記判定基準に従ってプレゼンテーションに含めるべき前記医学的検査データの前記マークを付けた部分を収集する段階、並びに
ユーザーが検査データのレビューを続けているときにユーザーのために自動的にプレゼンテーションを準備する段階であって、該プレゼンテーションが前記医学的検査データの前記マークを付けた部分を含んでおり、前記医学的検査データの前記マークを付けた部分が匿名化され、またユーザーが検査データのレビューを続けているときに前記プレゼンテーションが動的に更新されるようにした段階。
【請求項１１】
前記医学的検査データは、ユーザーに関連したワークリストから自動的に選択される、請求項１０記載の有形のコンピュータ読取り可能な媒体。
【請求項１２】
前記医学的検査データは、検査データ・ワークリスト、患者病歴パレット、レポート又は医学的画像の内の少なくとも１つを含んでいる、請求項１０記載の有形のコンピュータ読取り可能な媒体。
【請求項１３】
前記判定基準は識別子又は特性の内の少なくとも１つである、請求項１０記載の有形のコンピュータ読取り可能な媒体。
【請求項１４】
前記判定基準は自動的に選択される、請求項１０記載の有形のコンピュータ読取り可能な媒体。
【請求項１５】
更に、実行されたとき、演算装置に、少なくとも、前記医学的検査データに注釈を付けて、医学的プレゼンテーションにそれを含むことを指示する段階を遂行させる命令を有している請求項１０記載の有形のコンピュータ読取り可能な媒体。
【請求項１６】
前記医学的検査データの前記匿名化されたマークを付けた部分は、患者の識別表示のない医療データを含んでいる、請求項１０記載の有形のコンピュータ読取り可能な媒体。
【請求項１７】
更に、実行されたとき、演算装置に、少なくとも、インターフェースにより前記プレゼンテーションを表示させる段階を遂行させる命令を有している請求項１０記載の有形のコンピュータ読取り可能な媒体。
【請求項１８】
更に、実行されたとき、演算装置に、少なくとも、観察及び編集のために一人以上の別のユーザーと前記プレゼンテーションを共用させる段階を遂行させる命令を有している請求項１０記載の有形のコンピュータ読取り可能な媒体。
【請求項１９】
医学的検査データにアクセスする医学的検査データ・アクセッサと、
ユーザーによるレビューのために前記医学的検査データを提示する検査データ・プレゼンターと、
ユーザーによって特定された判定基準に従って前記医学的検査データの少なくとも一部分にマークを付ける検査データ・マーカーと、
判定基準に従ってプレゼンテーションに含めるべき前記医学的検査データの前記マークを付けた部分を収集する医療データ・コレクタと、
ユーザーが検査データのレビューを続けているときにユーザーのために自動的にプレゼンテーションを準備するプレゼンテーション・プリペアラーであって、前記プレゼンテーションが前記医学的検査データの前記マークを付けた部分を含み、前記医学的検査データの前記マークを付けた部分が匿名化され、ユーザーが検査データのレビューを続けているときに前記プレゼンテーションが動的に更新されるようにした、プレゼンテーション・プリペアラーと、
を有する医学的プレゼンテーション・クリエータ・システム。
【請求項２０】
前記医学的検査データはユーザーに関連したワークリストから自動的に選択される、請求項１９記載のシステム。
【請求項２１】
前記医学的検査データは、検査ワークリスト、患者病歴パレット、レポート又は医学的画像の内の少なくとも１つを含んでいる、請求項１９記載のシステム。
【請求項２２】
前記判定基準は識別子又は特性の内の少なくとも１つである、請求項１９記載のシステム。
【請求項２３】
前記判定基準は自動的に選択される、請求項１９記載のシステム。
【請求項２４】
前記検査データ・マーカーは、前記医学的検査データに注釈を付けて、医学的プレゼンテーションにそれを含むことを指示する、請求項１９記載のシステム。
【請求項２５】
前記医学的検査データの前記匿名化されたマークを付けた部分は、患者の識別表示のない医療データを含んでいる、請求項１９記載のシステム。
【請求項２６】
更に、インターフェースにより前記プレゼンテーションを表示させるプレゼンテーション表示部を有している請求項１９記載のシステム。
【請求項２７】
更に、観察及び編集のために一人以上の別のユーザーと前記プレゼンテーションを共用させるプレゼンテーション共用部を有している請求項１９記載のシステム。
【発明の詳細な説明】
【技術分野】
【０００１】
本発明は、医学的プレゼンテーション・クリエータに関するものである。
【背景技術】
【０００２】
病院や診療所のような保健医療(healthcare)環境は、病院情報システム（ＨＩＳ）、放射線医学情報システム（ＲＩＳ）、臨床情報システム（ＣＩＳ）及び心血管情報システム（ＣＶＩＳ）のような様々な情報システム、並びに、画像保管通信システム（ＰＡＣＳ）、ライブラリー情報システム（ＬＩＳ）及び電子医療レコード（ＥＭＲ）のような様々な記憶システムを含んでいる。記憶される情報としては、例えば、患者の投薬指示、病歴、イメージング・データ、試験結果、診断情報、管理情報、及び／又はスケジュール情報を挙げることができる。
【０００３】
放射線医師のような保健医療提供者は、保健医療環境において収集し且つ保存した情報を用いて、教育の目的のため及び／又は医学会議のために医学的プレゼンテーションを作成したいことがある。例えば、保健医療提供者は、医学的患者に関連したイメージング・データ、試験結果及び／又は診断情報を使用したいことがある。プレゼンテーションに医療データ及び／又は試験結果を使用するため、保健医療提供者は、患者のプライバシーを保護するために患者識別情報が除去されていることを保証しなければならない。
【先行技術文献】
【特許文献】
【０００４】
【特許文献１】米国特許出願公開第２００４０１９３９０１号
【発明の概要】
【０００５】
特定の実施例では、医学的プレゼンテーション・クリエータ(creator) のための方法、システム及び有形のコンピュータ読取り可能な媒体を提供する。特定の実施例では、医学的プレゼンテーションを作成するためのコンピュータ具現化方法を提供する。本方法は、医学的検査データにアクセスし、該医学的検査データをユーザーによるレビュー(review)のために提示し、ユーザーによって特定された判定基準に従って前記医学的検査データの少なくとも一部分にマークを付けることを含む。本方法は、判定基準に従ってプレゼンテーションに含めるべき前記医学的検査データの前記マークを付けた部分を収集し、ユーザーが検査データのレビューを続けているときにユーザーのために自動的にプレゼンテーションを準備することを含み、該プレゼンテーションは前記医学的検査データの前記マークを付けた部分を含んでおり、前記医学的検査データの前記マークを付けた部分は匿名化されており、前記プレゼンテーションはユーザーが検査データのレビューを続けているときに動的に更新される。
【０００６】
特定の実施例では、医学的プレゼンテーション・クリエータ・システムを提供する。本システムは、医学的検査データにアクセスする医学的検査データ・アクセッサと、ユーザーによるレビューのために前記医学的検査データを提示する検査データ・プレゼンターとを含む。本システムはまた、ユーザーによって特定された判定基準に従って前記医学的検査データの少なくとも一部分にマークを付ける検査データ・マーカーと、判定基準に従ってプレゼンテーションに含めるべき前記医学的検査データの前記マークを付けた部分を収集する医療データ・コレクタとを含む。本システムはまた、ユーザーが検査データのレビューを続けているときにユーザーのために自動的にプレゼンテーションを準備するプレゼンテーション・プリペアラー(preparer)を含み、該プレゼンテーションは前記医学的検査データの前記マークを付けた部分を含んでおり、前記医学的検査データの前記マークを付けた部分は匿名化されており、前記プレゼンテーションはユーザーが検査データのレビューを続けているときに動的に更新される。
【０００７】
特定の実施例では、有形のコンピュータ読取り可能な媒体を提供する。この有形のコンピュータ読取り可能な媒体は、実行されたとき、少なくとも医学的検査データにアクセスし、ユーザーによるレビューのために前記医学的検査データを提示し、ユーザーによって特定された判定基準に従って前記医学的検査データの少なくとも一部分にマークを付けるように、演算装置を動作させる命令を有する。この有形のコンピュータ読取り可能な媒体はまた、実行されたとき、判定基準に従ってプレゼンテーションに含めるべき少なくとも前記医学的検査データの前記マークを付けた部分を収集し、ユーザーが検査データのレビューを続けているときにユーザーのために自動的にプレゼンテーションを準備するように、演算装置を動作させる命令を有しており、前記プレゼンテーションは前記医学的検査データの前記マークを付けた部分を含んでおり、前記医学的検査データの前記マークを付けた部分は匿名化されており、前記プレゼンテーションはユーザーが検査データのレビューを続けているときに動的に更新される。
【図面の簡単な説明】
【０００８】
【図１】図１は、一実施例の医学的プレゼンテーション・クリエータを含む一実施例の保健医療システムのブロック図である。
【図２Ａ】図２Ａは、図１の実施例の医学的プレゼンテーション・クリエータを用いて作成される医学的プレゼンテーションに含めるために図１の実施例の保健医療システムによって収集された一実施例の患者の医学的画像を示す図である。
【図２Ｂ】図２Ｂは、図１の実施例の医学的プレゼンテーション・クリエータによって作成された一実施例の患者の医学的画像を示す図である。
【図３】図３は、図１の実施例の医学的プレゼンテーション・クリエータを使用するための一実施例のユーザー・プロトコルを示す流れ図である。
【図４】図４は、図１の実施例の医学的プレゼンテーション・クリエータのブロック図である。
【図５】図５は、図４の実施例の医学的プレゼンテーション・クリエータを具現化する一実施例の方法についての流れ図である。
【図６】図６は、本書で述べるシステム及び方法を具現化するために使用することのできる一実施例のプロセッサ・システムのブロック図である。
【発明を実施するための形態】
【０００９】
上記の概要、並びに本発明の様々な特定の実施例についての以下の説明は、添付の図面を参照して読むことにより一層よく理解されよう。本発明を例示するために、特定の実施例を図面に示す。ところで、本発明が図面に示された配置構成及び手段に制限されないことを理解されたい。
【００１０】
以下に、実施例の方法、システム、及びコンポーネントの中でとりわけハードウエア上で実行されるソフトウエアを含む有形のコンピュータ読取り可能な媒体を開示するが、このような方法及び装置が単に説明のために例示するものであって、限定するものとして見なすべきではないことに留意されたい。例えば、これらのハードウエア及びソフトウエア・コンポーネントの内の任意のもの又は全てが、専らハードウエアで、又は専らソフトウエアで、又は専らファームウエアで、或いはハードウエア、ソフトウエア及び／又はファームウエアの任意の組合せで具現化され得ると考えられる。従って、以下に実施例の方法、システム、及び有形のコンピュータ読取り可能な媒体を説明するが、提供される実施例は、このような方法、システム、及び有形のコンピュータ読取り可能な媒体を具現化するための唯一のやり方ではない。
【００１１】
「特許請求の範囲」のいずれかの請求項が、純粋にソフトウエア及び／又はファームウエアによる実施を包含していると読み取られるとき、一実施形態では、少なくとも１つの要素が有形の媒体を含んでいるものと明確に定義される。本書で用いられるとき、用語「有形のコンピュータ読取り可能な媒体」とは、任意の種類のコンピュータ読取り可能な記憶装置を含み且つ信号の伝播を行わないものと明確に定義される。これに加えて又はその代わりに、実施例の方法、システム、及び有形のコンピュータ読取り可能な媒体は、フラッシュ・メモリ、読出し専用メモリ（ＲＯＭ）、ランダム・アクセス・メモリ（ＲＡＭ）、キャッシュ、又は任意の期間にわたって（例えば、長期間、永久に、短時間、一時的バッファリングのために、及び／又は情報のキャッシングのために）情報を記憶する任意の他の記憶媒体のような、持続性コンピュータ読取り可能な媒体上に記憶されたコード化された命令（例えば、コンピュータ読取り可能な命令）を用いて具現化することができる。本書で用いられるとき、用語「持続性コンピュータ読取り可能な媒体」とは、任意の種類のコンピュータ読取り可能な媒体を含み且つ信号の伝播を行わないものと明確に定義される。
【００１２】
保健医療環境では、医療データ（例えば、検査ワークリスト、患者病歴パレット、医学的レポート、医学的画像など）が作成され、収集され、そして保健医療情報システムに保存される。例えば、遂行すべき医学的検査に対応する指令を受け取ったときに、医学的検査を遂行して記憶することができる。放射線医師のような保健医療提供者は、例えば、教育目的で及び／又は医学会議で用いるために医学的検査データを含む医学的プレゼンテーションを作成したいことがある。保健医療提供者にとって、医学的プレゼンテーションに含めるための医学的検査データから患者識別情報を除去することは重要である。
【００１３】
従来のシステムにおいて匿名化された医学的検査データを作成するためには、保健医療提供者は、医学的検査データを画像保管通信システム（ＰＡＣＳ）からＤＩＣＯＭ（医学におけるディジタル・イメージング及び通信規格）受信器へ送って、該検査データを匿名化することができる。別個の匿名化された検査データがＤＩＣＯＭ受信器で作成されて、それは、保健医療提供者によってアクセスできるようにＰＡＣＳへ送ることができる。医学的プレゼンテーションを作成するためのこのワークフローは、保健医療提供者にとって煩雑で時間がかかる。保健医療提供者は、関心のある医学的検査データをプレゼンテーションに適した匿名化された検査データへ変換するために多数の手動のステップを遂行する。更に、別個の匿名化された検査データが作成されてＰＡＣＳへ送られるので、その匿名化された検査データは、最初の匿名化してない検査データに含まれていた任意の関連したレポート又はデータを含んでいないか又はそれらに対する直接的アクセスを持っていない。このワークフローは、ＰＡＣＳに記憶保存させるために医学的検査データの匿名化された複製を作成し、この匿名化された複製を、ＲＩＳからの対応する指令がなくても、ＰＡＣＳにインポートしている。そこで、ＰＡＣＳ管理者は、この匿名化された複製の検査データに対応する新しい指令を手動で作成しなければならない。従って、保健医療提供者が標準的なワークフローの一部として匿名化された医学的プレゼンテーションを自動的に作成することを可能にするような医学的プレゼンテーション・ワークフローを作成することが望ましい。
【００１４】
特定の実施例では、医学的プレゼンテーション・クリエータが医学的検査データにアクセスする。医学的検査データは、保健医療提供者のようなユーザーによって、例えばビューアー(viewer)又はユーザー・インターフェースを介して、選択することができる。代替の実施例では、医学的検査データは、ユーザーに関連したワークリストから自動的に選択される。医学的検査データは、例えば、検査ワークリスト、患者病歴パレット、医学的レポート、又は医学的画像などの内の１つであってよい。アクセスされた医学的検査データは、ユーザーによるレビューのためにビューアー又はユーザー・インターフェース上に提示される。医学的検査データの少なくとも一部分が特定の種類の医学的プレゼンテーションのために関心のあるものである場合、ユーザーは該医学的検査データにマークを付けて、医学的プレゼンテーションの該当する種類を指示することができる。医学的プレゼンテーションの該当する種類は、医学的識別子又は特性の種類に従って選択することができる。
【００１５】
特定の実施例では、医学的プレゼンテーション・クリエータは、医学的プレゼンテーションの特定の種類に従って医学的プレゼンテーションに含めるべき医学的検査データのマークを付けた部分を収集する。医学的プレゼンテーション・クリエータは、医学的検査データのマークを付けた部分を用いて自動的に医学的プレゼンテーションを準備する。医学的プレゼンテーションを準備する際、医学的プレゼンテーション・クリエータは、医学的検査データのマークを付けた部分を匿名化して、任意の患者識別情報を除外する。
【００１６】
特定の実施例では、医学的プレゼンテーション・クリエータは、ユーザーが追加の医学的検査データのレビューを続けているときにユーザーのために自動的にプレゼンテーションを準備する。ユーザーは、同じ又は異なる種類の医学的プレゼンテーションに従って追加の医学的検査データにマークを付けることができる。医学的プレゼンテーションは、ユーザーが追加の医学的検査データのレビューを続けているときに動的に更新することができる。医学的プレゼンテーションは、インターフェースでユーザーのために表示することができ、また観察及び編集のために別の一人以上のユーザーと共用することができる。
【００１７】
図１は、一実施例の医学的プレゼンテーション・クリエータ１０２を導入することのできる一実施例の保健医療システム１００のブロック図を示す。一実施例の保健医療システム１００は、一実施例の医学的プレゼンテーション・クリエータ１０２、病院情報システム（ＨＩＳ）１０４、放射線医学情報システム（ＲＩＳ）１０６、画像保管通信システム（ＰＡＣＳ）１０８、インターフェース・ユニット１１０、データ・センタ１１２、及びワークステーション１１４を含む。図示の実施例では、ＨＩＳ１０４、ＲＩＳ１０６及びＰＡＣＳ１０８は、保健医療施設内に設けられ且つ現地で保管される。しかしながら、他の実施例では、ＨＩＳ１０４、ＲＩＳ１０６及び／又はＰＡＣＳ１０８は１つ以上の他の適当な場所に設けることができる。実施例によっては、ＰＡＣＳ１０８、ＲＩＳ１０６、ＨＩＳ１０４などの内の１つ以上は、シン・クライアント及び／又はダウンロード可能なソフトウエア・ソリューションにより、遠隔に導入することができる。また更に、保健医療システム１００の１つ以上のコンポーネントは一緒に組み合わせ及び／又は導入することができる。例えば、ＲＩＳ１０６及び／又はＰＡＣＳ１０８はＨＩＳ１０４と一体にすることができ、ＰＡＣＳ１０８はＲＩＳ１０６と一体にすることができ、及び／又は実施例の３つの情報システム１０４、１０６及び／又は１０８は一緒に一体にすることができる。他の実施例では、保健医療システム１００は、例示した情報システム１０４、１０６及び／又は１０８の内の一部を含む。例えば、保健医療システム１００は、ＨＩＳ１０４、ＲＩＳ１０６及び／又はＰＡＣＳ１０８の内の１つ又は２つのみを含むことができる。患者の検査の前か又は後に保健医療実務者（例えば、放射線医師、内科医、及び／又は技師）によって、情報（例えば、スケジュール設定、試験結果、観測結果、診断など）を、ＨＩＳ１０４、ＲＩＳ１０６及び／又はＰＡＣＳ１０８に入力することができる。
【００１８】
ＨＩＳ１０４は、例えば、病院、診療所及び／又は診療室の職員から受け取った臨床レポート、患者情報及び／又は管理情報のような、医療情報を保存する。ＲＩＳ１０６は、例えば、放射線医学レポート、メッセージ、警告、警報、患者スケジュール設定情報、患者の人口統計学的データ、患者追跡情報、及び／又は医師及び患者ステータス・モニタのような、情報を保存する。更に、ＲＩＳ１０６は、検査指令入力（例えば、患者についてのＸ線の指令）並びに画像及びフィルムの追跡（例えば、フィルムを点検した一人以上の人間の身元を追跡すること）を可能にする。実施例によっては、ＲＩＳ１０６における情報は、ＨＬ−７(Health Level Seven)臨床通信プロトコルに従って書式設定される。
【００１９】
ＰＡＣＳ１０８は、医学的画像（例えば、Ｘ線、走査、３次元レンダリングなど）を、例えば、データベース又はレジストリにディジタル画像として保存する。実施例によっては、医学的画像は、ＤＩＣＯＭ（医学におけるディジタル・イメージング及び通信規格）フォーマットを用いてＰＡＣＳ１０８に保存される。画像は、患者の医用イメージング後に保健医療実務者（例えば、イメージング技術者、内科医、放射線医師）によってＰＡＣＳ１０８に保存され、及び／又は保存のために医用イメージング装置からＰＡＣＳ１０８へ自動的に伝送される。実施例によっては、ＰＡＣＳ１０８はまた、保健医療実務者又は提供者がＰＡＣＳ１０８と通信できるようにするために表示装置及び／又は観察用ワークステーションを含むことができる。
【００２０】
インターフェース・ユニット１１０は、病院情報システム・インターフェース接続１１６、放射線医学情報システム・インターフェース接続１１８、ＰＡＣＳインターフェース接続１２０、及びデータ・センタ・インターフェース接続１２２を含む。インターフェース・ユニット１１０は、ＨＩＳ１０４、ＲＩＳ１０６、ＰＡＣＳ１０８、及び／又はデータ・センタ１１２の間での通信を容易にする。インターフェース接続１１６、１１８、１２０及び１２２は、例えば、プライベート・ネットワーク又はインターネットのような広域ネットワーク（ＷＡＮ）によって具現することができる。従って、インターフェース・ユニット１１０は、例えば、イーサーネット装置、非同期転送モード（ＡＴＭ）装置、８０２．１１装置、ＤＳＬモデム、ケーブル・モデム、セルラー・モデムなどのような、１つ以上の通信コンポーネントを含む。次いで、データ・センタ１１２は、ネットワーク１２４を介して、複数の場所（例えば、病院、診療所、医師の診療室、他の診療室、又は端末など）で導入されたワークステーション１１４と通信する。ネットワーク１２４は、例えば、インターネット、イントラネット、プライベート・ネットワーク、有線又は無線のローカル・エリア・ネットワーク、及び／又は有線又は無線の広域ネットワークによって具現される。実施例によっては、インターフェース・ユニット１１０はまた、医療情報及び医学的画像を一緒に伝送させ且つ一緒に保存させることのできるブローカー(broker)（例えば、ミトラ・イメージング(Mitra Imaging)社のＰＡＣＳブローカー）を含む。
【００２１】
インターフェース・ユニット１１０は、インターフェース接続１１６，１１８，１２０を介して、情報システム１０４，１０６，１０８から、画像、医学的レポート、管理情報及び／又は他の臨床情報を受け取る。必要な場合（例えば、受け取った情報の異なるフォーマットが互換性がないとき）、インターフェース・ユニット１１０は、データ・センタ１１２に適切に保存するために、医学的レポートのような医療情報を（例えば、構造化照会言語（ＳＱＬ）又は標準的なテキストに）翻訳し又は再書式設定する。再書式設定された医療情報は、異なる医療情報が患者の名前又は社会保障番号のような共通の識別要素を共用することを可能にする伝送プロトコルを用いて伝送することができる。次に、インターフェース・ユニット１１０は、データ・センタ・インターフェース接続１２２を介して、医療情報をデータ・センタ１１２へ伝送する。最後に、医療情報は、例えば、医学的画像及び対応する医療情報を一緒に伝送し且つ保存することを可能にするＤＩＣＯＭフォーマットで、データ・センタ１１２に保存される。
【００２２】
医療情報は、（例えば、患者の名前又はレコード番号のようなそれらの共通の識別要素によって）ワークステーション１１４で後で観察することができ且つ容易に検索することができる。ワークステーション１１４は、電子的なデータ（例えば、医学的レポート）及び／又は（例えば、Ｘ線、超音波、ＭＲＩ走査などの）電子的な医学的画像を、観察及び操作のために取得、保存又は伝送させることのできるソフトウエアを実行する能力を持つ任意の機器（例えば、パーソナル・コンピュータ）であってよい。ワークステーション１１４は、例えば、キーボード、マウス、トラック・ボール、マイクロフォンなどにより、ユーザーからの指令及び／又は他の入力を受け取る。ワークステーション１１４は、保健医療実務者が保健医療システム１００と相互作用するのを可能にするユーザー・インターフェース１２６を備えることができる。例えば、ユーザー・インターフェース１２６は、医師からの要求に応答して、患者の病歴を提示する。
【００２３】
図１の実施例のデータ・センタ１１２は、例えば、画像、データ、医学的レポート、及び／又は、より一般的には、患者の医療レコードのような、情報を保存するためのアーカイブである。更に、データ・センタ１１２はまた、例えば、ローカル・アーカイブ、病院情報システム／放射線医学情報システム（例えば、ＨＩＳ１０４及び／又はＲＩＳ１０６）、或いは医用イメージング／記憶システム（例えば、ＰＡＣＳ１０８及び／又は接続されたイメージング・モダリティ）のような他のソースに所在する情報に対する中心導管として作用することができる。すなわち、データ・センタ１１２は、情報に対するリンク又は指示子（例えば、識別番号、患者の名前、又はレコード番号）を記憶することができる。図示の実施例では、データ・センタ１１２はアプリケーション・サーバ・プロバイダ（ＡＳＰ）によって管理され、また複数のシステム及び施設（例えば、病院、診療所、医師の診療室、他の診療室、及び／又は端末）によってアクセスすることのできる集中場所に配置される。実施例によっては、データ・センタ１１２は、ＨＩＳ１０４、ＲＩＳ１０６及び／又はＰＡＣＳ１０８から空間的に隔たった場所に（例えば、ゼネラル・エレクトリック社の本部に）設けることができる。
【００２４】
図１の実施例のデータ・センタ１１２は、サーバ１２８、データベース１３０、及びレコード・オーガナイザ１３２を含む。サーバ１２８は、保健医療システム１００の様々なコンポーネントへ且つから情報を受け取り、処理し、伝送する。データベース１３０は、本書で述べる医療情報を保存し且つそれらに対するアクセスを提供する。図１の実施例のレコード・オーガナイザ１３２は、例えば、患者の病歴を管理する。レコード・オーガナイザ１３２はまた、例えば、処置のスケジュール設定を支援することができる。
【００２５】
特定の実施例では、医学的プレゼンテーション・クリエータ１０２はＰＡＣＳ１０８内に配置される。代替の実施例では、プレゼンテーション・クリエータ１０２は、分離して配置することができ、或いは保健医療システム１００の任意の他の適当な装置に含めることができる。動作について説明すると、一実施例の医学的プレゼンテーション・クリエータ１０２が医学的検査データにアクセスする。医学的検査データはデータ・センタ１１２に保存するか、又は保健医療システム１００の任意の他のコンポーネント内に配置することができる。プレゼンテーション・クリエータ１０２によってアクセスすべき医学的検査データは、ワークステーション１１４のユーザー・インターフェース１２６のようなビューアーを介して、ユーザーによって選択することができる。代替の実施例では、医学的検査データは、ユーザーに関連したワークリストから自動的に選択することができる。実施例のプレゼンテーション・クリエータ１０２は、ユーザー・インターフェース１２６のようなビューアーを介して、ユーザーによるレビューのために医学的検査データを提示する。代替の実施例では、医学的検査データは、ＰＡＣＳ１０８に付設されたビューアーで提示することができる。
【００２６】
実施例の医学的プレゼンテーション・クリエータ１０２は、ユーザーによって特定された判定基準に従って医学的検査データの少なくとも一部分にマークを付ける。判定基準は、例えば、作成すべき医学的プレゼンテーションの種類に関連した識別子又は特性とすることができる。例えば、プレゼンテーション・クリエータ１０２は、医学的検査データを脳についての医学的プレゼンテーションに含めるべきであるというユーザー・インターフェース１２６を介してのユーザーの指示に従って、医学的検査データにマークを付けることができる。これに加えて又はこの代わりに、実施例の医学的プレゼンテーション・クリエータ１０２は、実施例のプレゼンテーション・クリエータ１０２によって自動的に選択され及び／又は決定された判定基準に従って医学的検査データの少なくとも一部分にマークを付ける。本書で用いられるとき、医学的検査データの少なくとも一部分にマークを付けることは、医学的検査データの少なくとも一部分を医学的プレゼンテーションに含めるべきことを指示し及び／又は指定する任意の形式を含む。
【００２７】
実施例の医学的プレゼンテーション・クリエータ１０２は、ユーザー・インターフェース１２６を介してユーザーによって特定された判定基準に従って医学的プレゼンテーションに含めるべき医学的検査データのマークを付けた部分を収集する。例えば、プレゼンテーション・クリエータ１０２は、脳についての医学的プレゼンテーションに含めるべき医学的検査データのマークを付けた部分を収集する。
【００２８】
実施例の医学的プレゼンテーション・クリエータ１０２は、ユーザーが追加の医学的検査データのレビューを続けているときにユーザーのために自動的に医学的プレゼンテーションを準備する。例えば、ユーザーは、第１の医学的検査データのレビューを行って、実施例のプレゼンテーション・クリエータ１０２が心臓についての医学的プレゼンテーションに含めるべき第１の医学的検査データにマークを付けることを、ユーザー・インターフェース１２６を介して指示することができる。更に、ユーザーは、第１の医学的検査データに注釈を付けて、例えば後で観察する際に、心臓についての医学的プレゼンテーションに該第１の医学的検査データを含むことを指示することができる。次いで、ユーザーは、例えば、第２の医学的検査データのレビューを行って、実施例のプレゼンテーション・クリエータ１０２が脳についての医学的プレゼンテーションに含めるべき第２の医学的検査データにマークを付けることを、ユーザー・インターフェース１２６を介して指示することができる。更に、ユーザーは、第２の医学的検査データに注釈を付けて、例えば後で観察する際に、脳についての医学的プレゼンテーションに該第２の医学的検査データを含むことを指示することができる。ユーザーが追加の医学的検査データのレビューを続けているとき、実施例のプレゼンテーション・クリエータ１０２は医学的プレゼンテーションを動的に更新する。
【００２９】
実施例の医学的プレゼンテーション・クリエータ１０２は、例えば、ユーザー・インターフェース１２６を介してユーザーによって指示されたように特定の種類の医学的検査データに含めるべき医学的検査データのマークを付けた部分を収集する。医学的プレゼンテーションを準備しながら、実施例のプレゼンテーション・クリエータ１０２は、医学的プレゼンテーションに含めるべき医学的検査データのマークを付けた部分を匿名化する。医学的検査データの匿名化された部分は、名前、患者識別番号、又は誕生日などのような患者識別情報を除く。
【００３０】
実施例の医学的プレゼンテーション・クリエータ１０２は、ワークステーション１１４のユーザー・インターフェース１２６のようなインターフェースで、作成された医学的プレゼンテーションを表示させることができる。また、実施例のプレゼンテーション・クリエータ１０２は、観察及び編集のために一人以上の別のユーザーと医学的プレゼンテーションを共用させることができる。更に、実施例のプレゼンテーション・クリエータ１０２は、後で観察するために保存すべきデータ・センタ１１２へ医学的プレゼンテーションを送ることができる。
【００３１】
図２Ａは、図１の実施例の医学的プレゼンテーション・クリエータ１０２を用いて作成される医学的プレゼンテーションに含めるために実施例の保健医療システム１００によって収集された一実施例の患者の医学的画像２００を示す。実施例の患者の医学的画像２００は、例えば、図１のワークステーション１１４のユーザー・インターフェース１２６を用いて選択されて表示される。実施例のプレゼンテーション・クリエータ１０２は、例えばデータ・センタ１１２に保存されている実施例の医学的画像２００にアクセスして、ユーザーによるレビューのために医学的画像２００を提示する。図１のユーザー・インターフェース１２６は、最初に作成された通りの（すなわち、患者識別情報２０２が画像２００上に示されている）医学的画像２００を表示する。
【００３２】
ユーザー・インターフェース１２６は、ユーザーが、入力ボックス２０４に、医学的画像２００に関連した医学的プレゼンテーションの種類を入力及び／又は選択することを可能にする。例えば、医学的画像２００は脳のＣＴ走査画像であり、その場合、ユーザーは、入力ボックス２０４において、脳についてのプレゼンテーションに関係するものとして医学的画像２００を識別したいことがある。ユーザー・インターフェース１２６は、ユーザーが、選択された種類の医学的プレゼンテーションに医学的画像２００を含めたいことを指示できるようにするボタン２０６を提示する。更に、ユーザーは、医学的画像２００に注釈を付けて、医学的プレゼンテーションにそれを含むことを指示することができる。プレゼンテーション・クリエータ１０２は、選択された種類の医学的プレゼンテーションに従って医学的画像２００にマークを付ける。代替の実施例では、プレゼンテーション・クリエータ１０２は、プレゼンテーション・クリエータ１０２によって自動的に選択され及び／又は決定された判定基準に従って医学的画像２００にマークを付ける。
【００３３】
図２Ｂは、図１の実施例の医学的プレゼンテーション・クリエータ１０２によって作成された医学的プレゼンテーションに含まれている一実施例の患者の医学的画像２１０を示す。図２Ａの実施例では、プレゼンテーション・クリエータ１０２は、選択された種類の医学的プレゼンテーション、例えば、脳の画像に関連した医学的プレゼンテーションに従って、医学的画像２００にマークを付けた。実施例のプレゼンテーション・クリエータ１０２は、ユーザーが検査データのレビューを続けているときにユーザーのために自動的にプレゼンテーションを準備する。例えば、ユーザーが追加の医学的検査データのレビューを行い、それらの追加の医学的検査データに、同じ又は異なる種類の医学的プレゼンテーションに従ってマークを付けることができる。実施例のプレゼンテーション・クリエータ１０２は、ユーザーがそのレビューを続けているときに医学的プレゼンテーションを動的に更新することができる。
【００３４】
実施例のプレゼンテーション・クリエータ１０２は、同じ種類の医学的プレゼンテーションに従ってマークを付けられた複数の医学的検査データを収集する。例えば、プレゼンテーション・クリエータ１０２は、脳の医学的プレゼンテーションに含めるためにマークを付けられた（医学的画像２００を含んでいる）複数の医学的検査データを収集する。医学的プレゼンテーションを準備する際に、実施例のプレゼンテーション・クリエータ１０２は、プレゼンテーションに含めるべき医学的検査データを匿名化する。例えば、プレゼンテーション・クリエータ１０２が脳についての医学的プレゼンテーションを作成した後、図１のユーザー・インターフェース１２６は、図２Ａの患者識別情報２０２の無い医学的画像２１０を表示する。
【００３５】
図３は、図１の実施例の医学的プレゼンテーション・クリエータ１０２を使用するための一実施例のユーザー・プロトコル３００を示す流れ図である。ブロック３１０で、ユーザーは、ビューアー（例えば、図１のユーザー・インターフェース１２６）で第１の医学的検査データを観察する。この代わりに、ユーザーは、例えば、図１のＰＡＣＳ１０８に付設された表示装置で第１の医学的検査データを観察することができる。ユーザーは、第１の医学的検査データが関心のあるものであると気付くことがある。例えば、ユーザーは、心臓について医学的プレゼンテーション内に第１の医学的検査データの幾分か又は全てを含たいことがある。ブロック３２０で、ユーザーは、心臓のプレゼンテーションに含めるために第１の医学的検査データにマークを付けるように、図１の実施例のプレゼンテーション・クリエータ１０２に命令する。ブロック３３０で、ユーザーは、第１の医学的検査データに注釈を付けて、心臓の医学的プレゼンテーションにそれを含むことを指示することができる。従って、ユーザーが時間的に後で第１の医学的検査データを観察する場合、ユーザーは医学的プレゼンテーションに該検査データが使用されていることに気付くであろう。ブロック３４０で、ユーザーは、ビューアーを介して、レビューのために第２の医学的検査データを選択することができる。ブロック３５０で、ユーザーは、例えば、図１のユーザー・インターフェース１２６で、第２の医学的検査データを観察する。ユーザーは、第２の医学的検査データが関心のあるあるものであると気付くことがある。例えば、ユーザーは、肺についての医学的プレゼンテーション内に第２の医学的検査データの幾分か又は全てを含めたいことがある。ブロック３７０で、ユーザーは、心臓についてのプレゼンテーションを作成するように実施例のプレゼンテーション・クリエータ１０２に命令することができる。プレゼンテーション・クリエータ１０２は、心臓のプレゼンテーションに含めるためにマークを付けた検査データを収集し、該検査データを匿名化し、心臓についての医学的プレゼンテーションを作成し、それをユーザーのためにビューアーで提示する。この代わりに、プレゼンテーションは、ユーザーがレビューを行っているときに、バックグラウンドで動的に作成することができる。ブロックで３８０、ユーザーは、例えば、教育会議で、心臓についての医学的プレゼンテーションを提示する。
【００３６】
図４は、図１の実施例の医学的プレゼンテーション・クリエータ１０２のブロック図である。実施例のプレゼンテーション・クリエータ１０２は、医学的検査データ・アクセッサ４０４、検査データ・プレゼンター４０６、検査データ・マーカー４０８、医療データ・コレクタ４１０、及びプレゼンテーション・プリペアラー４１２を含む。医学的検査データ・アクセッサ４０４は、図１のユーザー・インターフェース１２６のようなビューアー及び図１のデータ・センタ１１２と連絡する。ユーザーは、ビューアーを介してアクセスすべき医学的検査データを選択する。代替の実施例では、医学的検査データは、ユーザーに関連したワークリストから自動的に選択される。実施例の医学的検査データ・アクセッサ４０４は、選択された医学的検査データに、例えば、該検査データが保存されているデータ・センタ１１２を介してアクセスする。アクセスされたとき、実施例の検査データ・プレゼンター４０６は、ユーザーによるレビューのために医学的検査データを、例えば、図１のユーザー・インターフェース１２６により提示する。代替の実施例では、検査データ・プレゼンター４０６は、図１のＰＡＣＳ１０８に関連した表示装置で医学的検査データを提示する。別の代替実施例では、検査データ・プレゼンター４０６は、図１のＰＡＣＳ１０８に関連した表示装置でユーザー・インターフェース１２６上の医学的検査データを提示する。
【００３７】
実施例の検査データ・マーカー４０８は、ユーザーによって特定された判定基準に従って医学的検査データの少なくとも一部分にマークを付ける。判定基準は、例えば、作成すべき医学的プレゼンテーションの種類に関連した識別子又は特性とすることができる。例えば、検査データ・マーカー４０８は、医学的検査データを脳についての医学的プレゼンテーションに含めるべきであるという（例えば、ユーザー・インターフェース１２６のような）ビューアーを介してのユーザーの指示に従って、医学的検査データにマークを付けることができる。代替の実施例では、検査データ・マーカー４０８は、プレゼンテーション・クリエータ１０２によって自動的に選択され及び／又は決定された判定基準に従って医学的検査データの少なくとも一部分にマークを付ける。更に、実施例の検査データ・マーカー４０８は、ユーザーが医学的画像に注釈を付けて、医学的プレゼンテーションにそれを含むことを指示することを可能にする。
【００３８】
実施例の医療データ・コレクタ４１０は、ビューアーを介してユーザーによって特定された判定基準に従って医学的プレゼンテーションに含めるべき医学的検査データのマークを付けた部分を収集する。例えば、医療データ・コレクタ４１０は、脳についての医学的プレゼンテーションに含めるべき医学的検査データのマークを付けた部分を収集する。
【００３９】
実施例のプレゼンテーション・プリペアラー４１２は、ユーザーが追加の医学的検査データのレビューを続けているときにユーザーのために自動的に医学的プレゼンテーションを準備する。例えば、ユーザーは、第１の医学的検査データのレビューを行って、実施例の検査データ・マーカー４０８が心臓についての医学的プレゼンテーションに含めるべき第１の医学的検査データにマークを付けることを、ビューアーを介して指示することができる。次いで、ユーザーは、例えば、第２の医学的検査データのレビューを行って、実施例の実施例の検査データ・マーカー４０８が脳についての医学的プレゼンテーションに含めるべき第２の医学的検査データにマークを付けることを、ビューアーを介して指示することができる。ユーザーがレビューを続けているとき、実施例のプレゼンテーション・プリペアラー４１２はこれらの医学的プレゼンテーションを動的に更新する。
【００４０】
代替の実施例では、ユーザーは複数の医学的検査データのレビューを行うことができ、そこで、実施例の検査データ・マーカー４０８は、レビューの際にユーザーによって指示された通りにプレゼンテーションに含めるべき検査データにマークをつける。ユーザーによる検査データのレビューの完了時に、ユーザーは、全てのマークを付けた検査データを用いて医学的プレゼンテーションを準備するように、実施例のプレゼンテーション・プリペアラー４１２に命令することができる。次いで、実施例の医療データ・コレクタ４１０が、実施例のプレゼンテーション・プリペアラー４１２によって準備される医学的プレゼンテーションに含めるために全てのマークを付けた検査データを収集する。
【００４１】
医学的プレゼンテーションを準備している間、実施例のプレゼンテーション・プリペアラー４１２は、医学的プレゼンテーションに含めるべき医学的検査データのマークを付けた部分を匿名化する。医学的検査データの匿名化された部分は、名前、患者識別番号、又は誕生日などのような患者識別情報を除く。
【００４２】
実施例のプレゼンテーション・プリペアラー４１２は、図１のワークステーション１１４のユーザー・インターフェース１２６のようなビューアーで、作成された医学的プレゼンテーションを表示させることができる。また、実施例のプレゼンテーション・プリペアラー４１２は、観察及び編集のために一人以上の別のユーザーと医学的プレゼンテーションを共用させることができる。それに加えて又はその代わりに、実施例のプレゼンテーション・プリペアラー４１２は、後で観察するために保存すべきデータ・センタ１１２へ医学的プレゼンテーションを送ることができる。
【００４３】
医学的検査データ・アクセッサ４０４、検査データ・プレゼンター４０６、検査データ・マーカー４０８、医療データ・コレクタ４１０及びプレゼンテーション・プリペアラー４１２は、ソフトウエア、ハードウエア、ファームウエア、及び／又はこれらの要素の組合せで具現化することができる。医学的検査データ・アクセッサ４０４、検査データ・プレゼンター４０６、検査データ・マーカー４０８、医療データ・コレクタ４１０及びプレゼンテーション・プリペアラー４１２は、別々に具現化することができ及び／又は様々な形態で組み合わせることができる。医学的検査データ・アクセッサ４０４、検査データ・プレゼンター４０６、検査データ・マーカー４０８、医療データ・コレクタ４１０及びプレゼンテーション・プリペアラー４１２は、例えば、演算／処理装置によって実行するために機械アクセス可能な媒体上に記憶された機械実行可能なコードを形成する一組の命令／ルーチンとして具現化することができる。
【００４４】
図５は、図４の実施例の医学的プレゼンテーション・クリエータ１０２を具現化する一実施例の方法５００の流れ図である。図５の実施例のプロセス（１つ又は複数）は、プロセッサ、制御装置及び／又は任意の他の適当な処理装置を使用して遂行することができる。例えば、図５の実施例のプロセス（１つ又は複数）は、フラッシュ・メモリ、読出し専用メモリ（ＲＯＭ）及び／又はランダム・アクセス・メモリ（ＲＡＭ）のような有形のコンピュータ読取り可能な媒体上に記憶されたコード化された命令（例えば、コンピュータ読取り可能な命令）を用いて、具現化することができる。本書で用いられる用語「有形のコンピュータ読取り可能な媒体」とは、任意の種類のコンピュータ読取り可能な記憶装置を含み且つ信号の伝播を行わないものと定義される。これに加えて又はその代わりに、図５の実施例のプロセス（１つ又は複数）は、フラッシュ・メモリ、読出し専用メモリ（ＲＯＭ）、ランダム・アクセス・メモリ（ＲＡＭ）、キャッシュ、又は任意の期間にわたって（例えば、長期間、永久に、短時間、一時的バッファリングのために、及び／又は情報のキャッシングのために）情報を記憶する任意の他の記憶媒体のような、持続性コンピュータ読取り可能な媒体上に記憶されたコード化された命令（例えば、コンピュータ読取り可能な命令）を用いて具現化することができる。本書で用いられる用語「持続性コンピュータ読取り可能な媒体」とは、任意の種類のコンピュータ読取り可能な媒体を含み且つ信号の伝播を行わないものと定義される。
【００４５】
代替態様では、図５の実施例のプロセス（１つ又は複数）の幾分か又は全ては、特定用途向け集積回路（ＡＳＩＣ）、プログラマブル論理装置（ＰＬＤ）、フィールド・プログラマブル論理装置（ＦＰＬＤ）、個別の論理装置、ハードウエア、ファームウエアなどの任意の組み合わせてを用いて具現化することができる。また、図５の実施例のプロセス（１つ又は複数）の幾分か又は全ては、手動で、或いは前述の技術の内の任意のものの任意の組合せとして、例えば、ファームウエア、ソフトウエア、個別の論理及び／又はハードウエアの任意の組合せとして具現化することができる。更に、実施例のプロセス（１つ又は複数）を図５の流れ図を参照して説明するが、図５の実施例のプロセス（１つ又は複数）を具現化する他の方法を用いることもできる。例えば、プロセスの各ブロックの実行順序は変更することができ、及び／又は説明するブロックの幾分かは変更し、除去し、細分割し、又は組み合わせることができる。更に、図５の実施例のプロセス（１つ又は複数）のいずれか又は全ては、順次に及び／又は（例えば、別々の処理スレッド(thread)、プロセッサ、装置、個別の論理装置、回路などによって）並列に遂行することができる。
【００４６】
図５は、図４の実施例の医学的プレゼンテーション・クリエータ１０２を具現化する一実施例の方法５００の流れ図を例示する。ブロック５１０で、医学的検査データが実施例の医学的検査データ・アクセッサ４０４によってアクセスされる。医学的検査データ・アクセッサ４０４は、図１のユーザー・インターフェース１２６のようなビューアー及び図１のデータ・センタ１１２と連絡する。ユーザーが、ビューアーを介して、アクセスすべき医学的検査データを選択する。代替の実施例では、医学的検査データは、ユーザーに関連したワークリストから自動的に選択される。実施例の医学的検査データ・アクセッサ４０４は、選択された医学的検査データに、例えば、保存されているデータ・センタ１１２を介して、アクセスする。
【００４７】
ブロック５２０で、実施例の検査データ・プレゼンター４０６が、ユーザーによるレビューのために医学的検査データを、例えば、図１のユーザー・インターフェース１２６により提示する。代替の実施例では、検査データ・プレゼンター４０６は、図１のＰＡＣＳ１０８に関連した表示装置により医学的検査データを提示する。別の代替の実施例では、検査データ・プレゼンター４０６は、図１のＰＡＣＳ１０８に関連した表示装置によりユーザー・インターフェース１２６上の医学的検査データを提示する。
【００４８】
ブロック５３０で、実施例の検査データ・マーカー４０８が、ユーザーによって特定された判定基準に従って医学的検査データの少なくとも一部分にマークを付ける。判定基準は、例えば、作成すべき医学的プレゼンテーションの種類に関連した識別子又は特性とすることができる。例えば、検査データ・マーカー４０８は、医学的検査データを脳についての医学的プレゼンテーションに含めるべきであるというビューアー（例えば、ユーザー・インターフェース１２６）を介してのユーザーの指示に従って、医学的検査データにマークを付けることができる。代替の実施例では、検査データ・マーカー４０８が、図１の実施例のプレゼンテーション・クリエータ１０２によって自動的に選択され及び／又は決定された判定基準に従って医学的検査データの少なくとも一部分にマークを付ける。更に、実施例の検査データ・マーカー４０８は、ユーザーが医学的検査データに注釈を付けて、医学的プレゼンテーションにそれを含むことを指示することを可能にする。
【００４９】
ブロック５４０で、実施例の医療データ・コレクタ４１０が、ビューアーを介してユーザーによって特定された判定基準に従って医学的プレゼンテーションに含めるべき医学的検査データのマークを付けた部分を収集する。例えば、医療データ・コレクタ４１０は、脳についての医学的プレゼンテーションに含めるべき医学的検査データのマークを付けた部分を収集する。
【００５０】
ブロック５５０で、実施例のプレゼンテーション・プリペアラー４１２により、ユーザーが追加の医学的検査データのレビューを続けているときにユーザーのために自動的に医学的プレゼンテーションを準備する（すなわち、制御がブロック５３０後にブロック５１０へ戻る）。例えば、ユーザーは、第１の医学的検査データのレビューを行って、実施例の検査データ・マーカー４０８が心臓についての医学的プレゼンテーションに含めるべき第１の医学的検査データにマークを付けることを、ビューアーを介して指示することができる。次いで、ユーザーは、第２の医学的検査データのレビューを行って、実施例の実施例の検査データ・マーカー４０８が脳についての医学的プレゼンテーションに含めるべき第２の医学的検査データにマークを付けることを、ビューアーを介して指示することができる。ユーザーがレビューを続けているとき、実施例のプレゼンテーション・プリペアラー４１２はこれらの医学的プレゼンテーションを動的に更新する。
【００５１】
代替の実施例では、ユーザーは複数の医学的検査データのレビューを行うことができ、そこで、実施例の検査データ・マーカー４０８が、レビューの際にユーザーによって指示された通りにプレゼンテーションに含めるべき検査データにマークをつける。ユーザーによる検査データのレビューの完了時に、ユーザーは、全てのマークを付けた検査データを用いて医学的プレゼンテーションを準備するように、実施例のプレゼンテーション・プリペアラー４１２に命令することができる。次いで、一実施例の医療データ・コレクタ４１０が、実施例のプレゼンテーション・プリペアラー４１２によって準備される医学的プレゼンテーションに含めるために全てのマークを付けた検査データを収集する。
【００５２】
医学的プレゼンテーションを準備している間、実施例のプレゼンテーション・プリペアラー４１２は、医学的プレゼンテーションに含めるべき医学的検査データのマークを付けた部分を匿名化する。医学的検査データの匿名化された部分は、名前、患者識別番号、又は誕生日などのような患者識別情報を除く。
【００５３】
ブロック５６０で、実施例のプレゼンテーション・プリペアラー４１２が、図１のワークステーション１１４のユーザー・インターフェース１２６のようなビューアーで、作成された医学的プレゼンテーションを表示させることができる。また、実施例のプレゼンテーション・プリペアラー４１２は、観察及び編集のために一人以上の別のユーザーと医学的プレゼンテーションを共用させることができる。ブロック５７０で、実施例のプレゼンテーション・プリペアラー４１２は、後で観察するために保存すべきデータ・センタ１１２へ医学的プレゼンテーションを送ることができる。
【００５４】
方法５００の１つ以上のブロックは、例えば、ハードウエアで、ファームウエアで、及び／又はソフトウエア内の一組の命令として、単独で又は組み合わせて具現化することができる。特定の実施例は、汎用コンピュータ又は他の処理装置で実行するための、メモリ、ハードディスク、ＤＶＤ又はＣＤのようなコンピュータ読取り可能な媒体上に常駐する一組の命令として提供することができる。
【００５５】
特定の実施例では、これらのブロックの内の１つ以上を省略することができ、及び／又はこれらのブロックを列挙した順序よりも異なる順序で遂行することができる。例えば、特定の実施例では、幾つかの段階が遂行されないことがある。別の実施例では、特定の複数の段階を、前に列挙したものとは異なる時間的順序（同時を含む）で遂行することができる。
【００５６】
図６は、本書で述べるシステム及び方法を具現化するために使用することのできる一実施例のプロセッサ・システム６１０のブロック図である。図６に示されているように、プロセッサ・システム６１０は、相互接続母線６１４に結合されるプロセッサ６１２を含む。プロセッサ６１２は、例えば、任意の適当なプロセッサ、処理ユニット、又はマイクロプロセッサとすることができる。図６に示されていないが、システム６１０はマルチプロセッサ・システムとすることができ、従って、プロセッサ６１２と同じか又は同様であり且つ相互接続母線６１４に通信結合される１つ以上の追加のプロセッサを含むことができる。
【００５７】
図６のプロセッサ６１２はチップセット６１８に結合され、チップセット６１８は、メモリ制御装置６２０及び入力／出力（Ｉ／Ｏ）制御装置６２２を含む。よく知られているように、チップセットは、典型的には、Ｉ／Ｏ及びメモリ管理機能を提供し、並びに、チップセット６１８に結合された１つ以上のプロセッサによってアクセス可能であり又は使用される複数の汎用及び／又は専用レジスタ、タイマなど提供する。メモリ制御装置６２０は、プロセッサ６１２（又は複数のプロセッサがある場合は複数のプロセッサ）がシステム・メモリ６２４及び大容量記憶装置６２５にアクセスすることを可能にする機能を遂行する。
【００５８】
システム・メモリ６２４は、任意の所望の種類の揮発性及び／又は非揮発性メモリ、例えば、スタティック・ランダム・アクセス・メモリ（ＳＲＡＭ）、ダイナミック・ランダム・アクセス・メモリ（ＤＲＡＭ）、フラッシュ・メモリ、読出し専用メモリ（ＲＯＭ）などを含むことができる。大容量記憶装置６２５は、任意の所望の種類の大容量記憶装置、例えば、ハードディスク駆動装置、光学式駆動装置、テープ記憶装置などを含むことができる。
【００５９】
Ｉ／Ｏ制御装置６２２は、プロセッサ６１２がＩ／Ｏ母線６３２を介して周辺の入力／出力（Ｉ／Ｏ）装置６２６及び６２８並びにネットワーク・インターフェース６３０と通信することを可能にする機能を遂行する。Ｉ／Ｏ装置６２６及び６２８は、任意の所望の種類のＩ／Ｏ装置、例えば、キーボード、ビデオ表示装置又はモニタ、マウスなどであってよい。ネットワーク・インターフェース６３０は、例えば、プロセッサ・システム６１０が別のプロセッサ・システムと通信することを可能にするイーサーネット装置、非同期転送モード（ＡＴＭ）装置、８０２．１１装置、ＤＳＬモデム、ケーブル・モデム、セルラー・モデムなどであってよい。
【００６０】
メモリ制御装置６２０及びＩ／Ｏ制御装置６２２は図６においてチップセット６１８内の別々のブロックとして示されているが、これらのブロックによって遂行される機能は、単一の半導体回路内に集積化することができ、或いは２つ以上の集積回路を用いて具現化することもできる。
【００６１】
このようにして、特定の実施例は、患者（特に、例えば、高齢者）による薬物摂取の自己監視の改善を提供し、その結果、過剰摂取又は摂取不足の事例を少なくすることができる。更に、特定の実施例は、保健医療システムを介しての保健医療提供者による患者の薬物摂取の監視を改善し、その結果、保健医療提供者に対するストレスを軽減させる。また更に、特定の実施例は、広範囲の病状を取り扱うのに必要とされる様々な薬物治療を分析するために有利にカスタマイズすることができる。
【００６２】
特定の実施例は、上述の機能を具現化するための方法、システム及び任意の機械読取り可能な媒体上のコンピュータ・プログラム製品を意図している。特定の実施例は、例えば、既存のコンピュータ・プロセッサを用いて、或いはこの又は別の目的のために組み込まれた専用のコンピュータ・プロセッサによって、或いは配線接続されたシステム及び／又はファームウエア・システムによって具現化することができる。
【００６３】
上述したシステムの様々なコンポーネント及び／又は方法の様々な段階の１つ以上は、例えば、ハードウエアで、ファームウエアで、及び／又はソフトウエアの一組の命令として、単独で又は組み合わせて、具現化することができる。特定の実施例は、例えば、汎用コンピュータ又は他の処理装置で実行するための、メモリ、ハードディスク、ＤＶＤ又はＣＤのようなコンピュータ読取り可能な媒体上に常駐する一組の命令として提供することができる。本発明の特定の実施例は、方法の諸段階の内の１つ以上を省略することができ、及び／又は諸段階を列挙した順序よりも異なる順序で遂行することができる。例えば、幾つかの段階は、本発明の特定の実施例では遂行することができない。別の実施例では、特定の複数の段階は、前に列挙したものとは異なる時間的順序（同時を含む）で遂行することができる。
【００６４】
特定の実施形態は、その上に記憶されたコンピュータ実行可能な命令又はデータ構造を担持し又は持つためのコンピュータ読取り可能な媒体をを含む。このようなコンピュータ読取り可能な媒体は、汎用又は専用コンピュータによって、或いはプロセッサを備えた他の機械によってアクセスすることのできる任意の入手可能な媒体とすることができる。例えば、このようなコンピュータ読取り可能な媒体には、ＲＡＭ、ＲＯＭ、ＰＲＯＭ、ＥＰＲＯＭ、ＥＥＰＲＯＭ、フラッシュ・メモリ、ＣＤ−ＲＯＭ又は他の光学ディスク記憶装置、磁気ディスク記憶装置又は他の磁気記憶装置、或いはコンピュータ実行可能な命令又はデータ構造の形で所望のプログラム・コードを担持し又は記憶するために使用することができ且つ汎用又は専用コンピュータ又は他のプロセッサ付き機械によってアクセスすることができる任意の他の媒体を含むことができる。上記の組合せもまたコンピュータ読取り可能な媒体の範囲内に含まれる。コンピュータ実行可能な命令は、例えば、汎用コンピュータ、専用コンピュータ又は専用処理機械に或る特定の機能又は一群の機能を遂行させる命令及びデータを有する。
【００６５】
一般に、コンピュータ実行可能な命令は、特別なタスクを遂行し又は特別な抽象的なデータの種類を具現化するようなルーチン、プログラム、オブジェクト、構成要素、データ構造などを含む。コンピュータ実行可能な命令、関連したデータ構造、及びプログラム・モジュールは、本書で述べた方法の様々な段階を実行するためのプログラム・コードの例を表す。このような実行可能な命令又は関連したデータ構造の特定のシーケンスは、このような段階で述べられている機能を具現化するための対応する行為の例を表す。
【００６６】
本発明の実施形態は、プロセッサを持つ１つ以上の遠隔のコンピュータに対する論理的接続を使用して、ネットワーク接続された環境内で実施することができる。論理的接続は、限定ではなく例として提示するローカル・エリア・ネットワーク（ＬＡＮ）及びワイド・エリア・ネットワーク（ＷＡＮ）を含むことができる。このようなネットワーク接続環境は、オフィス全体又は企業全体のコンピュータ・ネットワーク、イントラネット及びインターネットにおいて一般的なことであり、また多種多様な通信プロトコルを使用することができる。当業者なら、このようなネットワーク演算環境が典型的には、パーソナル・コンピュータ、手持ち式装置、マルチプロセッサ・システム、マイクロプロセッサをベースとした又はプログラム可能な家庭用電子装置、ネットワークＰＣ、ミニコンピュータ、メインフレーム・コンピュータ等々を含む多種類のコンピュータ・システム構成を網羅することが理解されよう。本発明の様々な実施形態はまた、通信ネットワークを介して（有線リンク、無線リンク、又はそれらの組合せのいずれかによって）連結されたローカル及び遠隔の処理装置によってタスクが遂行される分散型演算環境において実施することができる。分散型演算環境では、プログラム・モジュールはローカル及び遠隔のメモリ記憶装置の両方に配置することができる。
【００６７】
本発明のシステム全体又は一部分を具現化するための模範的なシステムは、処理装置と、システム・メモリと、該システム・メモリを含む様々なシステム構成部品を該処理装置に結合するシステム母線とを含んでいるコンピュータの形態の汎用演算装置を含むこともできる。システム・メモリは、読出し専用メモリ（ＲＯＭ）及びランダム・アクセス・メモリ（ＲＡＭ）を含むことができる。コンピュータはまた、磁気ハードディスクに対して読み出し及び書き込みを行うための磁気ハードディスク駆動装置、取り出し可能な磁気ディスクに対して読み出し及び書き込みを行うための磁気ディスク駆動装置、及びＣＤ−ＲＯＭ又は他の光媒体のような取り出し可能な光ディスクに対して読み出し及び書き込みを行うための光ディスク駆動装置を含むことができる。これらの駆動装置及びそれらの関連したコンピュータ読取り可能な媒体は、コンピュータ実行可能な命令、データ構造、プログラム・モジュール及びコンピュータ用の他のデータについての非揮発性記憶装置を構成する。
【００６８】
本発明を特定の実施形態に関して説明したが、当業者には、本発明の範囲から逸脱することなく、様々な変更を為し且つ等価物と置換することができることが理解されよう。更に、本発明の範囲から逸脱することなく、特定の状況又は材料を本発明の教示に適合させるように多数の修正をなすことができる。従って、本発明は、開示した特定の実施形態に制限されず、本発明は特許請求の範囲内に入る全ての実施形態を含むものとする。
【符号の説明】
【００６９】
１００  保健医療システム
１０８  画像保管通信システム
１１６  病院情報システム・インターフェース接続
１１８  放射線医学情報システム・インターフェース接続
１２０  ＰＡＣＳインターフェース接続
１２２  データ・センタ・インターフェース接続
１２６  ユーザー・インターフェース
２００  医学的画像
２０２  患者識別情報
２０４  入力ボックス
２０６  ボタン
２１０  医学的画像
３００  ユーザー・プロトコル
５００  方法
６１０  プロセッサ・システム
６１４  相互接続母線
６１８  チップセット
６３２  Ｉ／Ｏ母線
【図１】
2013041588.tif 000003
【図２Ａ】
2013041588.tif 000004
【図２Ｂ】
2013041588.tif 000005
【図３】
2013041588.tif 000006
【図４】
2013041588.tif 000007
【図５】
2013041588.tif 000008
【図６】
2013041588.tif 000009